(57)【要約】      （修正有）【課題】ナックリング対策が施された犬用靴の、つま先側の引っ張り力の調整を容易にする犬用靴の提供。【解決手段】犬用靴１０は、袋状部１２及び筒状部１４と、袋状部１２の先側装着部位１２ａ及び筒状部１４の上側装着部位１４ａの間を連結して接近方向に付勢する、弾性を備えた２本の連結部材３０とを含む。２本の連結部材３０は、先側装着部位１２ａへ取り付けられる第１取付部３２が、互いに離れて取り付けられ、上側装着部位１４ａへ取り付けられる第２取付部３４が、互いに接続された状態で、着脱可能に上側装着部位１４ａに対して取り付けられる。これにより、犬の足への装着時に、直接的或いは間接的に接続された２本の連結部材３０の第２取付部３４を、同時にバランス良く引っ張ることができ、連結部材３０によるつま先側の引っ張り力を容易に調整することができる。【選択図】図１
2020137437.tif 000002
【特許請求の範囲】
【請求項１】
犬の足のつま先から指節部又は趾節部までを覆う袋状部と、該袋状部から連続して少なくとも犬の足の中手部又は中足部の一部までを覆う筒状部と、を備える犬用靴であって、
前記袋状部の、犬の足のつま先近傍に装着される先側装着部位と、前記筒状部の、犬の足の中手部又は中足部に装着される上側装着部位とを連結して、接近させるように付勢する、弾性を備えた２本の連結部材を含み、
該２本の連結部材は、前記先側装着部位へ取り付けられる第１取付部が、互いに離れて取り付けられると共に、前記上側装着部位へ取り付けられる第２取付部が、直接的に或いは接続部材を介して間接的に互いに接続された状態で、着脱可能に前記上側装着部位に対して取り付けられることを特徴とする犬用靴。
【請求項２】
前記上側装着部位が、前記筒状部の、犬の足の中手部又は中足部の前側部分に装着される部位であることを特徴とする請求項１記載の犬用靴。
【請求項３】
前記２本の連結部材の前記第１取付部が、犬用靴の幅方向に互いに離れて取り付けられることを特徴とする請求項１又は２記載の犬用靴。
【請求項４】
前記２本の連結部材の前記第２取付部同士が、前記２本の連結部材がＶ字状を成す態様で直接的に接続されていることを特徴とする請求項１から３のいずれか１項記載の犬用靴。
【請求項５】
前記２本の連結部材の前記第２取付部同士が、前記２本の連結部材が平行ないし略平行に延在するように、前記接続部材を介して間接的に接続されていることを特徴とする請求項１から３のいずれか１項記載の犬用靴。
【請求項６】
前記２本の連結部材の前記第２取付部同士が接続された部分の近傍に、人の指により引っ張るための引っ張り具を有することを特徴とする請求項１から５のいずれか１項記載の犬用靴。
【請求項７】
前記２本の連結部材の各々の、前記第１取付部から前記第２取付部までの長さを調整するための調整機構を含むことを特徴とする請求項１から６のいずれか１項記載の犬用靴。
【請求項８】
前記２本の連結部材の各々が帯状を成し、
前記調整機構は、前記連結部材が通されて折り返される環状部分を有する２つの折り返し部材を含み、該２つの折り返し部材の各々を介して折り返される前記連結部材の位置が調整されることで、前記連結部材の各々の長さを調整するものであることを特徴とする請求項７記載の犬用靴。
【発明の詳細な説明】
【技術分野】
【０００１】
本発明は、犬用靴に関するものである。
【背景技術】
【０００２】
従来から、汚れの防止、怪我の防止、肉球の保護、足の傷口の保護等を目的として、犬に靴を履かせる機会が増えている。更に、近年では、犬が足の甲に相当する部位を地面につけて歩行する、或いはつま先や爪を引きずりながら歩行するといった、所謂ナックリングと呼ばれる症状が発生することがあり、このような犬の足のナックリングを予防及び抑制するための犬用靴等も発案されている（例えば、特許文献１参照）。
【先行技術文献】
【特許文献】
【０００３】
【特許文献１】特許第６２８３７５８号公報
【発明の概要】
【発明が解決しようとする課題】
【０００４】
ここで、上述したナックリングを予防及び抑制するための犬用靴は、主に、２本の弾性部材を利用して犬の足のつま先側を引っ張り上げるものである。しかしながら、犬の足への装着時に、２本の弾性部材による引っ張り力をバランス良く調整することが困難であり、ナックリング対策の効果が十分に発揮されないことがあった。
本発明は上記課題に鑑みてなされたものであり、その目的とするところは、ナックリング対策が施された犬用靴の、つま先側の引っ張り力の調整を容易にすることにある。
【課題を解決するための手段】
【０００５】
（発明の態様）
以下の発明の態様は、本発明の構成を例示するものであり、本発明の多様な構成の理解を容易にするために、項別けして説明するものである。各項は、本発明の技術的範囲を限定するものではなく、発明を実施するための最良の形態を参酌しつつ、各項の構成要素の一部を置換し、削除し、又は、更に他の構成要素を付加したものについても、本願発明の技術的範囲に含まれ得るものである。
【０００６】
（１）犬の足のつま先から指節部又は趾節部までを覆う袋状部と、該袋状部から連続して少なくとも犬の足の中手部又は中足部の一部までを覆う筒状部と、を備える犬用靴であって、前記袋状部の、犬の足のつま先近傍に装着される先側装着部位と、前記筒状部の、犬の足の中手部又は中足部に装着される上側装着部位とを連結して、接近させるように付勢する、弾性を備えた２本の連結部材を含み、該２本の連結部材は、前記先側装着部位へ取り付けられる第１取付部が、互いに離れて取り付けられると共に、前記上側装着部位へ取り付けられる第２取付部が、直接的に或いは接続部材を介して間接的に互いに接続された状態で、着脱可能に前記上側装着部位に対して取り付けられる犬用靴（請求項１）。
【０００７】
本項に記載の犬用靴は、袋状部、筒状部、及び、２本の連結部材を含むものであり、靴の本体部分は、袋状部と筒状部とで構成される。袋状部は、犬の足のつま先から、前足の場合は指節部まで、後足の場合は趾節部までを覆う部材であり、筒状部は、袋状部から連続して形成され、少なくとも犬の足の、前足の場合は中手部の一部まで、後足の場合は中足部の一部までを覆う部材である。２本の連結部材の各々は、弾性を有しており、袋状部の、犬の足のつま先近傍に装着される先側装着部位と、筒状部の、犬の足の中手部（前足の場合）或いは中足部（後足の場合）に装着される上側装着部位とを連結して、接近させるように付勢するものである。
【０００８】
又、２本の連結部材は、袋状部の先側装着部位へ取り付けられる第１取付部が、互いに離れて取り付けられる。すなわち、２本の連結部材のうち、一方の連結部材の第１取付部と、他方の連結部材の第１取付部とが、袋状部の、犬の足のつま先近傍に装着される先側装着部位の、互いに離れた位置に取り付けられる。更に、２本の連結部材は、筒状部の上側装着部位へ取り付けられる第２取付部が、直接的に或いは接続部材を介して間接的に互いに接続された状態で、着脱可能に上側装着部位に対して取り付けられる。すなわち、２本の連結部材のうち、一方の連結部材の第２取付部と、他方の連結部材の第２取付部とが、そのまま直接的に、或いは、接続部材を介して間接的に、互いに接続されている。加えて、このように接続された状態の、２本の連結部材の２つの第２取付部が、筒状部の、犬の足の中手部又は中足部に装着される上側装着部位に対して、着脱可能に取り付けられるものである。
【０００９】
上記のような構成を有する本項に記載の犬用靴は、犬の足へ装着される際、第１取付部が先側装着部位へ取り付けられた状態の、２本の連結部材の第２取付部側が、人の手により引っ張られることで、２本の連結部材による引っ張り力が調整された後、上側装着部位に対して取り付けられる。この際、２本の連結部材の第２取付部は、直接的或いは間接的に接続されていることから、人の手によって同時にバランス良く引っ張られることになる。これにより、２本の連結部材によるつま先側の引っ張り力が、容易にバランス良く調整されるものである。しかも、２本の連結部材の第１取付部が、互いに離れて先側装着部位に取り付けられているため、離間したそれら２つの第１取付部を介して、犬の足のつま先側が安定して引っ張られるものである。
【００１０】
従って、本項に記載の犬用靴を装着した犬は、２本の連結部材による上記のような引っ張り力に逆らって、つま先を下側や後側に向けることが抑制されるため、ナックリングが効果的に予防及び抑制されることとなる。又、２本の連結部材が弾性を有することで、犬の足のつま先と中手部又は中足部とが接近するように付勢しながらも、犬の足のつま先と中手部又は中足部とが離間する方向への、連結部材の弾性力に応じた引張が許容される。これにより、歩行中の犬の足の動きへ追従する際の変形が、連結部材が伸縮する範囲で許容されるため、歩行中の犬にストレスを感じさせることなく、犬の足のナックリングが予防及び抑制されるものとなる。更に、犬用靴を脱がせる際には、２本の連結部材の第２取付部が、人の手によって筒状部の上側装着部位から取り外されることにより、脱がせる作業が円滑に行われることとなる。
【００１１】
（２）上記（１）項において、前記上側装着部位が、前記筒状部の、犬の足の中手部又は中足部の前側部分に装着される部位である犬用靴（請求項２）。
本項に記載の犬用靴は、上側装着部位が、筒状部の、犬の足の中手部又は中足部の前側部分に装着される部位であることで、２本の連結部材により、袋状部の、犬の足のつま先近傍に装着される先側装着部位と、筒状部の、犬の足の中手部又は中足部の前側部分に装着される上側装着部位との間が、接近するように連結される。これにより、犬の足のナックリングが、より効果的に予防及び抑制されるものである。
【００１２】
（３）上記（１）（２）項において、前記２本の連結部材の前記第１取付部が、犬用靴の幅方向に互いに離れて取り付けられる犬用靴（請求項３）。
本項に記載の犬用靴は、２本の連結部材の第１取付部が、袋状部の先側装着部位に対して、犬用靴の幅方向に互いに離れて取り付けられることで、２本の連結部材により、犬の足のつま先側がより安定して引っ張られるものである。
【００１３】
（４）上記（１）から（３）項において、前記２本の連結部材の前記第２取付部同士が、前記２本の連結部材がＶ字状を成す態様で直接的に接続されている犬用靴（請求項４）。
本項に記載の犬用靴は、２本の連結部材がＶ字状を成す態様で、２本の連結部材の第２取付部同士が直接的に接続されているものである。すなわち、先側装着部位に互いに離れて取り付けられる第１取付部がＶ字状の二股側を成し、直接的に接続される第２取付部がＶ字状の尖った先端側を成すものである。このような構成により、２本の連結部材による引っ張り力を調整する際の、人の手による引っ張り方向が１方向に合成されるため、引っ張り力の調整がより容易になるものである。
【００１４】
（５）上記（１）から（３）項において、前記２本の連結部材の前記第２取付部同士が、前記２本の連結部材が平行ないし略平行に延在するように、前記接続部材を介して間接的に接続されている犬用靴（請求項５）。
本項に記載の犬用靴は、２本の連結部材が平行ないし略平行に延在するように、２本の連結部材の第２取付部同士が接続部材を介して間接的に接続されているものである。すなわち、２本の連結部材の第２取付部が、例えば犬用靴の幅方向等に、第１取付部と同じように互いに離れた状態で、接続部材を介して間接的に接続される。このような構成により、引っ張り力の調整時に２本の連結部材が同時に引っ張られながらも、２本の連結部材間のバランスの微調整、換言すれば、各連結部材で個別に引っ張り力の微調整が行われるものである。
【００１５】
（６）上記（１）から（５）項において、前記２本の連結部材の前記第２取付部が、面ファスナーを介して前記上側装着部位に対して取り付けられる犬用靴。
本項に記載の犬用靴は、２本の連結部材の第２取付部の、筒状部の上側装着部位に対する着脱可能な取り付けが、面ファスナーによって実現されるものである。これにより、例えば、面ファスナーのフック部が、連結部材の第２取付部に必要十分な大きさで設けられ、面ファスナーのループ部が、筒状部の上側装着部位を含む広めの範囲に設けられる、といった工夫が為されるものとなる。この場合は、２本の連結部材の第２取付部の、上側装着部位に対する取り付け位置や取り付け角度等の自由度が上がるため、内側寄りや外側寄りといった犬毎に異なるナックリングの癖に合わせて、２本の連結部材の各々による引っ張り力の、大きさや方向の微調整が容易に行われるものとなる。
【００１６】
（７）上記（１）から（６）項において、前記２本の連結部材の前記第２取付部同士が接続された部分に、犬の足に巻き付けられるベルト状の巻き付け部が設けられている犬用靴。
本項に記載の犬用靴は、２本の連結部材の第２取付部同士が接続された部分に、ベルト状の巻き付け部が設けられたものであり、この巻き付け部は、犬用靴の着用時に犬の足に巻き付けられて使用される。すなわち、直接的或いは間接的に接続された状態の、２本の連結部材の第２取付部が、上側装着部位に対して取り付けられる際に、それらの接続部分に設けられた巻き付け部が、上側装着部位を挟み込んで犬の足に巻き付けられ、巻き付け部の両端が例えば面ファスナー等で固定されるものである。これにより、２本の連結部材の第２取付部が、上側装着部位に対してより強固に取り付けられるものとなる。なお、ベルト状の巻き付け部は、連結部材とは別の部材として構成されてよいが、連結部材の第２取付部が接続部材を介して接続される場合は、接続部材そのものが巻き付け部を構成してもよく、接続部材と巻き付け部とが別の部材であってもよい。
【００１７】
（８）上記（１）から（７）項において、前記２本の連結部材の前記第２取付部同士が接続された部分の近傍に、人の指により引っ張るための引っ張り具を有する犬用靴（請求項６）。
本項に記載の犬用靴は、２本の連結部材の第２取付部同士が接続された部分の近傍に、人の指により引っ張るための引っ張り具を具備するものである。これにより、２本の連結部材による引っ張り力の調整時に、人の指によって引っ張り具を介して２本の連結部材が引っ張られることで、引っ張り力の調整がより容易に行われるものである。なお、このような引っ張り具が取り付けられる、第２取付部同士が接続された部分の近傍とは、第２取付部同士が直接的に接続されている場合は、その接続部分の近傍であり、第２取付部同士が接続部材を介して間接的に接続されている場合は、その接続部材の何れかの部位であってよい。更に、これらの部位に、別の部材を介して引っ張り具が取り付けられてもよく、上記（７）項に記載したような巻き付け部が設けられる場合は、この巻き付け部に引っ張り具が取り付けられてもよい。
【００１８】
（９）上記（１）から（８）項において、前記２本の連結部材の各々の、前記第１取付部から前記第２取付部までの長さを調整するための調整機構を含む犬用靴（請求項７）。
本項に記載の犬用靴は、２本の連結部材の各々の、第１取付部から第２取付部までの長さが、調整機構により調整されることで、犬の足の大きさや、犬の足のつま先と中手部又は中足部との間に作用させる所望の付勢力に合わせた、適切な長さに、連結部材の長さが調整されるものである。これと併せて、連結部材の引っ張り力の調整が行われることにより、犬の足の大きさ等に応じた適切な付勢力で付勢しながら、犬の足のナックリングを予防及び抑制するものとなる。
【００１９】
（１０）上記（９）項において、前記２本の連結部材の各々が帯状を成し、前記調整機構は、前記連結部材が通されて折り返される環状部分を有する２つの折り返し部材を含み、該２つの折り返し部材の各々を介して折り返される前記連結部材の位置が調整されることで、前記連結部材の各々の長さを調整するものである犬用靴（請求項８）。
本項に記載の犬用靴は、２本の連結部材の各々が帯状を成しており、これら帯状の連結部材の長さを調整する調整機構が、連結部材が通されて折り返される環状部分を有する折り返し部材を、連結部材毎に（すなわち２つ）含むものである。そして、調整機構は、折り返し部材を介して折り返される連結部材の位置が調整されることで、各連結部材の第１取付部から第２取付部までの長さを調整するものである。
【００２０】
このとき、連結部材の各々は、第１取付部側（先側装着部位側）に設置された折り返し部材により折り返されてもよく、第２取付部側（上側装着部位側）に設置された折り返し部材により折り返されてもよい。或いは、第１取付部と第２取付部との間に設置された折り返し部材により折り返されてもよく、この場合は、連結部材の各々が、第１取付部側と第２取付部側との２つの部材により構成される。このように、本項に記載の犬用靴は、折り返し部材を利用して連結部材の長さ調整を効率よく実現しながら、犬の足のナックリングを予防及び抑制するものである。なお、折り返し部材は、帯状の連結部材が折り返されることを考慮すると、連結部材の帯状の幅と同程度かそれ以上の幅を有する、略矩形の環状部分を具備するものであることが好ましい。又、２つの折り返し部材の各々が具備する環状部分の数は、１つに限定されずに２つ以上であってもよい。
【００２１】
（１１）上記（１０）項において、前記２つの折り返し部材が、互いに離れて前記先側装着部位に対して固定され、前記２本の連結部材の前記第１取付部は、前記２つの折り返し部材を介して前記先側装着部位に取り付けられる犬用靴。
本項に記載の犬用靴は、調整機構の２つの折り返し部材が、互いに離間した状態で、袋状部の先側装着部位に対して固定されており、この折り返し部材の各々を介して、各連結部材の第１取付部が、先側装着部位に取り付けられるものである。すなわち、連結部材の各々は、その第１取付部側の端部が、先側装着部位に固定された折り返し部材の環状部分に前方へ向かって通された後、後方へ向かって折り返され、連結部材の長さが調整された後、例えば面ファスナー等の取付手段を介して固定される。このような構成により、連結手段の各々は、第１取付部が、取付手段が解除されて折り返し部材から引き抜かれることで、取り付け状態から解放され、更に、第２取付部が、上側装着部位に対して着脱可能に取り付けられていることから、その全体が取り外し可能なものとなる。従って、２本の連結部材が必要に応じて犬用靴の本体部分に対して着脱されることで、ナックリング対策が施された犬用靴と通常の犬用靴との双方に対応するものとなり、又、犬の足へ履かせる作業や脱がせる作業が容易になるものである。
【発明の効果】
【００２２】
本発明は上記のような構成であるため、ナックリング対策が施された犬用靴の、つま先側の引っ張り力の調整を容易にすることが可能となる。
【図面の簡単な説明】
【００２３】
【図１】本発明の実施の形態に係る犬用靴の構成を模式的に示す斜視図である。
【図２】犬の足を示す側面図、及び、犬の足に装着した状態の図１の犬用靴を示す側面図である。
【図３】２本の連結部材の第２取付部の様々な変形例を示す平面図である。
【図４】図３に引き続き、２本の連結部材の第２取付部の様々な変形例を示す平面図である。
【図５】図４に引き続き、２本の連結部材の第２取付部の様々な変形例を示す平面図である。
【図６】図５に引き続き、２本の連結部材の第２取付部の様々な変形例を示す平面図である。
【図７】図６に引き続き、２本の連結部材の第２取付部の様々な変形例を示す平面図である。
【図８】引っ張り具の形態の例を示す平面図である。
【図９】連結部材の調整機構を実現する様々な例を示す平面図である。
【図１０】図９に引き続き、連結部材の調整機構を実現する様々な例を示す平面図である。
【図１１】折り返し部材の形状を例示する平面図である。
【図１２】図１１の折り返し部材の使用例を示す断面図である。
【図１３】本発明の実施の形態に係る犬用靴の作用効果を説明するためのイメージ図である。
【発明を実施するための形態】
【００２４】
以下、本発明を実施するための形態を、添付図面に基づき説明する。なお、図面の全体にわたって、同一部分又は対応する部分は、同一符号で示している。
図１は、本発明の実施の形態に係る犬用靴１０を模式的に示し、図２は、犬の足７０及び犬の足７０に装着した状態の犬用靴１０を示している。図１に示されているように、本発明の実施の形態に係る犬用靴１０は、袋状部１２と、袋状部１２から連続して形成され、犬の足７０に履かせるための開口部を有する筒状部１４と、本実施形態では２本の巻き付けベルト１６と、２本の連結部材３０（３０Ａ、３０Ｂ）とを含んでいる。
【００２５】
袋状部１２は、図２で確認できるように、犬の足７０のつま先７２から、指節部又は趾節部７４までを覆うものであり、筒状部１４は、袋状部１２に続いて、犬の足７０の中手部又は中足部７６の一部までを覆うものである。ここで、筒状部１４は、犬の足７０の中手部又は中足部７６の全体を覆うものであってもよく、犬の足７０の手根部又は足根部７８までを覆うものであってもよい。又、図１及び図２（ｂ）に示されるように、本実施形態において、袋状部１２及び筒状部１４は、縫製された複数の生地状部材によって構成されている。これらの生地状部材には、犬の足７０に直接触れても犬にストレスを感じさせないような柔らかい素材、例えば、各種の布材料、合成繊維、合成樹脂等を使用可能であり、各生地状部材により構成する部位は任意である。
【００２６】
巻き付けベルト１６の各々は、布製の帯状部１６ａと、帯状部１６ａの端部１６ｃと反対の端部に取り付けられた金属製のバックル部１６ｂとで構成され、帯状部１６ａの一部領域が、袋状部１２及び筒状部１４を構成する生地状部材に縫い付けられて固定されている。又、帯状部１６ａの一方の面（図１で確認できる面と反対の面）には、面ファスナーが設けられており、生地状部材に縫い付けられた帯状部１６ａの一部領域に、面ファスナーのフック部が設けられ、帯状部１６ａのそれ以外の領域に、面ファスナーのループ部が設けられている。なお、図１に示す巻き付けベルト１６の構成は一例であり、その構成要素、構成材料、本数、袋状部１２及び／又は筒状部１４への取り付け位置及び取り付け方法、並びに、上記の面ファスナーに相当する結合手段には、任意のものが採用できる。
【００２７】
上記のような構成の巻き付けベルト１６は、犬用靴１０が犬の足７０に装着される際に、図２（ｂ）に示すように用いられる。すなわち、まず、袋状部１２及び／又は筒状部１４の前方側（図中左側）に帯状部１６ａが巻き付けられ、帯状部１６ａの端部１６ｃ（図１参照）がバックル部１６ｂに通された後に、バックル部１６ｂを基点として帯状部１６ａが折り返される。そのような状態から、帯状部１６ａは、袋状部１２及び／又は筒状部１４の前方側に再度巻き付けられることで、バックル部１６ｂに通される前の領域と、バックル部１６ｂに通された後の領域とが、重なる態様になる。その後、犬の足７０への締め付け度合いの調整のために、帯状部１６ａの端部１６ｃが引っ張られ、生地状部材に縫い付けられた帯状部１６ａの一部領域に端部１６ｃが達するように、帯状部１６ａが巻き付けられる。すると、帯状部１６ａの端部１６ｃ近傍の領域には、面ファスナーのループ部が設けられ、生地状部材に縫い付けられた帯状部１６ａの一部領域には、面ファスナーのフック部が設けられていることから、ループ部とフック部とが結合され、巻き付けベルト１６により、犬用靴１０が犬の足７０に固定されることとなる。
【００２８】
２本の連結部材３０Ａ、３０Ｂの各々は、例えば、ゴムや合成樹脂等が利用された弾性を有する各種の材料で構成され、本実施形態では帯状を成している。これら２本の連結部材３０Ａ、３０Ｂは、袋状部１２の、犬の足７０のつま先７２近傍に装着される先側装着部位１２ａと、筒状部１４の、犬の足７０の中手部又は中足部７６に装着される上側装着部位１４ａとを連結するものである。本実施形態では、上側装着部位１４ａが、筒状部１４の、犬の足７０の中手部又は中足部７６の前側部分に装着される部位に相当する。このような連結を行うために、２本の連結部材３０Ａ、３０Ｂの各々は、先側装着部位１２ａへ取り付けられる第１取付部３２と、上側装着部位１４ａへ取り付けられる第２取付部３４とを有している。そして、２本の連結部材３０Ａ、３０Ｂは、第１取付部３２が、本実施形態では犬用靴１０の幅方向（図１における左上〜右下の方向）に互いに離れた状態で、犬用靴１０の幅方向の中心を挟んだ両側において、先側装着部位１２ａへ取り付けられるようになっている。詳しくは後述するが、図１の例における連結部材３０Ａ、３０Ｂの第１取付部３２は、調整機構６０の実現を兼ねて、犬用靴１０の幅方向に離間した状態で先側装着部位１２ａに固定された２つの折り返し部材６２を介して、先側装着部位１２ａに対して取り付けられる。
【００２９】
一方、２本の連結部材３０Ａ、３０Ｂの第２取付部３４は、互いに接続された状態で、筒状部１４の上側装着部位１４ａに対して着脱可能に取り付けられるようになっている。具体的に、図１の例において、連結部材３０Ａ、３０Ｂの第２取付部３４は、連結部材３０Ａ、３０Ｂを構成する材料に適合した縫製、接着、一体成形等の任意の接続方法によって、直接的に接続されている。そして、このように直接的に接続された状態で、本実施形態では面ファスナー３８を介して、第２取付部３４が上側装着部位１４ａに対して取り付けられる。図１の例では、連結部材３０Ａ、３０Ｂの第２取付部３４同士が接続された部分を覆うようにして、袋状又は筒状の第１部材４２が取り付けられており、この第１部材４２の上側装着部位１４ａと対向する面に、面ファスナー３８のフック部３８ａが設けられている。又、筒状部１４の上側装着部位１４ａを含む領域に、図１にはその境界を意図的に図示していないが、面ファスナー３８のループ部３８ｂが設けられており、このループ部３８ｂが設けられた領域内の任意の位置に、第２取付部３４に設けられたフック部３８ａが接合される。すなわち、面ファスナー３８のループ部３８ｂは、フック部３８ａの形成領域と比べて、より広い範囲にわたって形成されている。２本の連結部材３０Ａ、３０Ｂは、上記のような第１取付部３２及び第２取付部３４の構成により、図１で確認できるように、第１取付部３２側が二股に分かれたＶ字状を成している。
【００３０】
更に、図１の実施例では、連結部材３０Ａ、３０Ｂの第２取付部３４同士が接続された部分、及び／又は、その接続部分に取り付けられた第１部材４２に、第２部材４４が取り付けられており、この第２部材４４がベルト状の巻き付け部４８を構成している。ベルト状の巻き付け部４８は、筒状部１４の前側から巻き付けられるように、その長手方向の略中央部分が、第２取付部３４同士が接続された部分や第１部材４２に対して接続され、その長手方向両端の筒状部１４と対向する面に、面ファスナー３８のフック部３８ａが設けられている。すなわち、図１の例における面ファスナー３８は、巻き付け部４８にも設けられており、巻き付け部４８に設けられたフック部３８ａと対向する筒状部１４の領域にも、面ファスナー３８のループ部３８ｂが設けられている。なお、巻き付け部４８の長さは任意であり、図１の例では筒状部１４の前側部分に半周程度巻き付けられる長さを有しているが、これより短くても長くてもよい。筒状部１４の周りに一周以上巻き付けられるような長さの場合は、巻き付け部４８自体に設けられた面ファスナー等の結合手段を介して、巻き付け状態が維持されるような構成であってもよい。
【００３１】
又、２本の連結部材３０Ａ、３０Ｂの第２取付部３４同士が接続された部分の近傍であって、図１の例では巻き付け部４８の長手方向中央部分から図中上側に突出するようにして、引っ張り具５０が設けられている。引っ張り具５０は、連結部材３０Ａ、３０Ｂの第２取付部３４が筒状部１４の上側装着部位１４ａへ取り付けられる際に、筒状部１４に沿って図中上方向へと人の指により引っ張られるものであり、図１の例では、人の指により挟持される円板部５０ａを有する構造となっている。このような引っ張り具５０は、引っ張られる際の引張力や摩擦力等に十分対応できる適切な材料、例えば、各種の合成樹脂、布材料、金属等で形成することができる。
【００３２】
ここで、上述した調整機構６０は、２本の連結部材３０Ａ、３０Ｂの各々の、第１取付部３２から第２取付部３４までの長さを調整するためのものであり、上述したように袋状部１２の先側装着部位１２ａに固定された、本実施例では金属製の２つの折り返し部材６２を含んでいる。折り返し部材６２の各々は、本実施例では略矩形の環状部分６２ａを有しており、この環状部分６２ａに、連結部材３０の端部３１が通されて折り返されるようになっている。なお、図１には、環状部分６２ａに連結部材３０が通されているが、折り返される前の状態が図示されている。一方、帯状の連結部材３０Ａ、３０Ｂの各々には、図１に図示されている面の中間部に、面ファスナー６６のフック部６６ａが設けられていると共に、図１に図示されている面の、少なくとも、フック部６６ａが設けられた位置よりも端部３１側の略全領域に、面ファスナー６６のループ部６６ｂが設けられている。
【００３３】
上記のような構成の連結部材３０Ａ、３０Ｂの各々は、犬用靴１０が犬の足７０に装着される際に、第１取付部３２側の端部３１が、図中左下方向へ向けて折り返し部材６２の環状部分６２ａに通された後に、図中右上方向へ向けて折り返される。すると、連結部材３０Ａ、３０Ｂの各々は、折り返し部材６２に通される前の領域と、折り返し部材６２に通された後の領域とが、重なる態様になる。その後、連結部材３０Ａ、３０Ｂの各々の長さ調整のために、第１取付部３２側の端部３１が引っ張られ、この際、少なくとも端部３１がフック部６６ａよりも第２取付部３４側（図中右上側）に位置するように引っ張られる。すると、面ファスナー６６のフック部６６ａとループ部６６ｂとが対向する態様になるため、それらが接合されることで、連結部材３０Ａ、３０Ｂの各々の長さが定められる。すなわち、図１の例における調整機構６０は、２つの折り返し部材６２の各々を介して折り返される連結部材３０の位置が調整されることで、連結部材３０の各々の長さを調整するものである。このようにして、連結部材３０Ａ、３０Ｂの第１取付部３２の各々が、袋状部１２の先側装着部位１２ａに対して取り付けられる。
【００３４】
他方、犬用靴１０が犬の足７０に装着される際に、連結部材３０Ａ、３０Ｂの第２取付部３４は、第１取付部３２が上述したように先側装着部位１２ａへ取り付けられた後に、以下のようにして上側装着部位１４ａに対して取り付けられる。すなわち、連結部材３０Ａ、３０Ｂの第２取付部３４同士が接続された部分の近傍に設けられた引っ張り具５０が、人の指により引っ張られることで、連結部材３０Ａ、３０Ｂの弾性力が許容する伸縮範囲において、連結部材３０Ａ、３０Ｂによる引張力（付勢力）が調整される。そして、引張力が調整された状態で、本実施例では、第１部材４２及び第２部材４４（巻き付け部４８）の双方に設けられた面ファスナー３８のフック部３８ａと、筒状部１４に設けられた面ファスナー３８のループ部３８ｂとが接合されることで、連結部材３０Ａ、３０Ｂの第２取付部３４の取り付け位置が定められる。このとき、ベルト状の巻き付け部４８は、筒状部１４の上から犬の足７０に巻き付けられる。このようにして、連結部材３０Ａ、３０Ｂの第２取付部３４の各々が、袋状部１４の上側装着部位１４ａに対して取り付けられる。
【００３５】
２本の連結部材３０（３０Ａ、３０Ｂ）は、上記のように犬用靴１０が犬の足７０に装着されると、図２（ｂ）に示されているような状態になる。すなわち、弾性を有する連結部材３０の各々は、２本の巻き付けベルト１６よりも前方側（図中左側）において、袋状部１２の先側装着部位１２ａと、筒状部１４の上側装着部位１４ａとを接近させるように、それらの間を連結して付勢している。図２（ｂ）の実施例では、装着する犬の足７０の大きさに合わせて、各連結部材３０の第１取付部３２と第２取付部３４との間の長さが調整されている。その結果、連結部材３０の端部３１が、連結部材３０に設けられたフック部６６ａよりも図中右上側に位置すると共に、連結部材３０の第２取付部３４側に設けられた引っ張り具５０が、筒状部１４の上端よりも上方へ突出している。なお、図２（ｂ）の状態では、連結部材３０の第２取付部３４に取り付けられた第１部材４２の一部が、巻き付けベルト１６の帯状部１６ａの上に位置している。このような状態に対応するために、巻き付けベルト１６の帯状部１６ａの少なくとも一部領域にも、第１部材４２に設けられた面ファスナー３８のフック部３８ａと接合する、面ファスナー３８のループ部３８ｂが設けられていてもよい。
【００３６】
又、犬用靴１０は、図２（ｂ）に示される状態から、筒状部１４の上側装着部位１４ａ近傍に設けられた面ファスナー３８の接合が解除されると、袋状部１２の先側装着部位１２ａと筒状部１４の上側装着部位１４ａとを接近させるように作用する付勢力が解除される。この状態では、袋状部１２と筒状部１４とが直列に配置されるように変形可能になるため、犬用靴１０を犬の足７０から脱がせ易くなる。又、面ファスナー３８の接合位置（第２取付部３４の取り付け位置）を再度調整して、連結部材３０による引張力（付勢力）の再調整を行ってもよい。更に、犬用靴１０は、図２（ｂ）に示される状態から、２本の連結部材３０に設けられた面ファスナー６６の接合が解除されてもよく、これによっても、先側装着部位１２ａと上側装着部位１４ａとを接近させるように作用する付勢力が解除される。このため、袋状部１２と筒状部１４とが直列に配置されるように変形可能になり、犬用靴１０を犬の足７０から脱がせ易くなる。又、面ファスナー６６の接合位置（連結部材３０の折り返し位置）を再度調整して、連結部材３０の長さの再調整を行うこととしてもよい。
【００３７】
次に、図３〜図１２には、本発明の実施の形態に係る犬用靴１０に適用し得る、様々な変形例を示しており、図３〜図７には、２本の連結部材３０（３０Ａ、３０Ｂ）の第２取付部３４の変形例を示している。なお、図３〜図７には、平面視での第２取付部３４を示している。このため、図３〜図７において図示されている、連結部材３０の第２取付部３４を筒状部１４の上側装着部位１４ａへ取り付けるための、面ファスナー３８のフック部３８ａは、何れも図示されている面とは反対の面（犬用靴１０の筒状部１４と対向する面）に設けられたものである。
【００３８】
まず、図３（ａ）〜（ｄ）に示されている変形例は、何れも、図１及び図２（ｂ）に示した例と同様に、２本の連結部材３０Ａ、３０ＢがＶ字状を成すように、２本の連結部材３０Ａ、３０Ｂの第２取付部３４同士が直接的に接続されたものである。その中で、図３（ａ）、（ｂ）の例は、第２取付部３４同士の接続部分が図中上方に尖った形状を成しており、又、面ファスナー３８のフック部３８ａが、第２取付部３４同士の接続部分に直接設けられている。更に、図３（ａ）の例は、面ファスナー３８のフック部３８ａが平面視矩形を成し、図３（ｂ）の例は、面ファスナー３８のフック部３８ａが平面視三角形を成している。図３（ｃ）の例は、第２取付部３４同士の接続部分が平面視矩形を成しており、又、同じく平面視矩形を成す面ファスナー３８のフック部３８ａが、第２取付部３４同士の接続部分に直接設けられている。図３（ｄ）の例は、第２取付部３４同士の接続部分に、平面視矩形を成す第１部材４２が取り付けられており、この第１部材４２に対して、平面視矩形を成す面ファスナー３８のフック部３８ａが設けられている。
【００３９】
続いて、図４（ａ）〜（ｃ）に示されている変形例は、何れも、図３の例と同様に、２本の連結部材３０Ａ、３０ＢがＶ字状を成すように、２本の連結部材３０Ａ、３０Ｂの第２取付部３４同士が直接的に接続されている。そのうち、図４（ａ）の例は、第２取付部３４同士の接続部分に第１部材４２が取り付けられており、この第１部材４２が、図１に示した例では第２部材４４に相当するベルト状の巻き付け部４８を構成しているものである。そして、この巻き付け部４８には、その長手方向（図中左右方向）の中央部分と両端とに、何れも平面視矩形を成す面ファスナー３８のフック部３８ａが設けられている。図４（ｂ）の例は、第２取付部３４同士の接続部分に、平面視矩形を成す第１部材４２が取り付けられており、更に第１部材４２の図中上側に、平面視矩形を成す第２部材４４が取り付けられている。そして、面ファスナー３８のフック部３８ａが、第２部材４４に設けられている。
【００４０】
又、図４（ｃ）の例は、第２取付部３４同士の接続部分に、平面視矩形を成す第１部材４２が取り付けられているが、図４（ｂ）の例と異なり、第１部材４２の図中下端からではなく、第１部材４２の図中左端の下方及び図中右端の下方から、連結部材３０Ａ、３０Ｂが延びている。更に、第１部材４２の図中左端の上方から左側へ延び、かつ、図中右端の上方から右側へ延びる態様で、ベルト状の巻き付け部４８を成す第２部材４４が取り付けられている。面ファスナー３８のフック部３８ａは、巻き付け部４８の長手方向の中央部分に位置する第１部材４２の上側と、巻き付け部４８の長手方向両端とに設けられている。
【００４１】
次に、図５（ａ）〜（ｃ）に示されている変形例は、何れも、図３及び図４の例と同様に、２本の連結部材３０Ａ、３０ＢがＶ字状を成すように、２本の連結部材３０Ａ、３０Ｂの第２取付部３４同士が直接的に接続されている。そのうち、図５（ａ）の例は、図３（ｂ）の例と同様に、第２取付部３４同士の接続部分が図中上方に尖った形状を成しており、又、平面視三角形を成す面ファスナー３８のフック部３８ａが、第２取付部３４同士の接続部分に直接設けられている。更に、図５（ａ）の例は、第２取付部３４同士の接続部分の図中上端に、その尖った部位を食い込ませるようにして、ベルト状の巻き付け部４８を成す第１部材４２が取り付けられている。更に、面ファスナー３８のフック部３８ａが、巻き付け部４８の長手方向（図中左右方向）の中央部分と両端とにも設けられており、中央部分に設けられているフック部３８ａには、第２取付部３４同士の接続部分の尖った部位を避けるようにして切欠きが形成されている。
【００４２】
図５（ｂ）の例は、第２取付部３４同士の接続部分が平面視矩形を成し、この接続部分の図中上端に、ベルト状の巻き付け部４８を成す第１部材４２が取り付けられている。そして、面ファスナー３８のフック部３８ａが、第２取付部３４同士の接続部分と巻き付け部４８とを跨ぐようにして設けられていると共に、巻き付け部４８の長手方向の両端にも設けられている。図５（ｃ）の例は、第２取付部３４同士の接続部分に、平面視矩形を成す第１部材４２が取り付けられており、更に第１部材４２に対して、平面視矩形を成す第２部材４４が取り付けられている。そして、面ファスナー３８のフック部３８ａが、第１部材４２と第２部材４４との双方に別個に設けられているものである。
【００４３】
続いて、図６及び図７には、図３〜図５の例と異なり、２本の連結部材３０Ａ、３０Ｂの第２取付部３４同士が直接的に接続されたものではなく、接続部材４０を介して間接的に接続された変形例を示している。このような接続部材４０は、連結部材３０Ａ、３０Ｂの第２取付部３４を、図６及び図７における紙面と直交する方向に沿った両側から挟み込んで接続するものであってもよく、そのうちの一方の側において接続するものであってもよい。まず、図６（ａ）〜（ｃ）の例は、何れも、２本の連結部材３０Ａ、３０Ｂが、第１取付部３２（図１参照）から第２取付部３４にかけて、平行ないし略平行に延在するように、連結部材３０Ａ、３０Ｂの第２取付部３４同士が、本実施形態では犬用靴１０の幅方向（図６における左右方向）に離間した状態で、犬用靴１０の幅方向に延在する接続部材４０を介して接続されている。
【００４４】
更に、図６（ａ）の例は、接続部材４０の、犬用靴１０の筒状部１４と対向する面の大部分に、面ファスナー３８のフック部３８ａが設けられている。図６（ｂ）の例は、接続部材４０が、ベルト状の巻き付け部４８を構成しており、その長手方向（図中左右方向）の中央部分を含む、２つの第２取付部３４間の領域と、長手方向の両端とに、面ファスナー３８のフック部３８ａが設けられている。図６（ｃ）の例は、接続部材４０の長手方向中央部分の図中上端に、平面視矩形を成す第３部材４６が取り付けられ、そこに同じく平面視矩形を成す面ファスナー３８のフック部３８ａが設けられている。
【００４５】
図７（ａ）、（ｂ）の例は、図６の例と同様に、２本の連結部材３０Ａ、３０Ｂが、平行ないし略平行に延在するように、連結部材３０Ａ、３０Ｂの第２取付部３４同士が犬用靴１０の幅方向に離間した状態で、図中左右方向に延在する接続部材４０を介して接続されている。又、図７（ａ）の例は、接続部材４０の図中上端に、ベルト状の巻き付け部４８を構成する第３部材４６が取り付けられている。そして、巻き付け部４８の、長手方向の中央部分を含む、接続部材４０の図中左右方向の長さと同等の長さを有する領域と、長手方向の両端とに、面ファスナー３８のフック部３８ａが設けられている。更に、巻き付け部４８の長手方向中央部分の図中上方に、図１の例と同様の引っ張り具５０が設けられている。図７（ｂ）の例は、図７（ａ）の例と同様に、接続部材４０の図中上端に、ベルト状の巻き付け部４８を構成する第３部材４６が取り付けられている。そして、面ファスナー３８のフック部３８ａが、接続部材４０の長手方向中央部分を挟んだ２箇所の領域と、巻き付け部４８の長手方向中央部分を挟んだ２箇所の領域及び長手方向両端の領域とに設けられている。なお、図７（ｂ）に図示された連結部材３０Ａ、３０Ｂ及び引っ張り具５０の構成については後述する。
【００４６】
一方、図７（ｃ）の例は、２本の連結部材３０Ａ、３０Ｂの第２取付部３４同士が、接続部材４０を介して間接的に接続されているものの、図６及び図７（ａ）、（ｂ）の例とは異なるが図３〜図５の例と同様に、２本の連結部材３０Ａ、３０ＢがＶ字状を成すようになっている。具体的には、接続部材４０に固定された２つの折り返し部材６２を介して、２本の連結部材３０Ａ、３０Ｂの第２取付部３４同士が接続されている。接続部材４０は、平面視Ｔ字状を成しており、その図中下端に２つの折り返し部材６２が固定されると共に、Ｔ字状の横棒に相当する部位がベルト状の巻き付け部４８を構成している。そして、接続部材４０の、Ｔ字状の縦棒に相当する領域と、巻き付け部４８の長手方向両端とに、面ファスナー３８のフック部３８ａが設けられている。更に、巻き付け部４８の長手方向中央部分の図中上方に、図１の例と同様の引っ張り具５０が設けられている。なお、図７（ｃ）に図示された連結部材３０Ａ、３０Ｂの構成については後述する。
【００４７】
図３〜図７の例において示したように、本発明の実施の形態に係る犬用靴１０の、２本の連結部材３０（３０Ａ、３０Ｂ）の第２取付部３４は、様々な構成を取り得るものであり、互いに接続された状態で、着脱可能に筒状部１４の上側装着部位１４ａに対して取り付けられるものであれば、図１〜図７に示した構成以外のものであってもよい。例えば、接続部材４０、第１部材４２、第２部材４４、第３部材４６及び巻き付け部４８等に相当する、第２取付部３４同士が接続された部分に取り付けられる部材の数、形状、大きさ等は任意であり、それらの部材を形成する材料も、布、樹脂、ゴム、金属（アルミ等の縫製可能な薄いもの）等から、任意のものが使用できる。又、連結部材３０と上記の各部材との間、及び、上記の各部材間の取り付け方法には、各部材を形成する材料に応じた、縫製や接着等を含む適切な方法を利用できる。
【００４８】
更に、第２取付部３４の上側装着部位１４ａに対する着脱可能な取り付け方法は、面ファスナー３８を利用した方法に限定されず、別の方法であってもよい。又、面ファスナー３８を利用する場合でも、そのフック部３８ａやループ部３８ｂの形成位置（形成対象部材）、形状、大きさ等は任意である。加えて、第２取付部３４が取り付けられる上側装着部位１４ａは、筒状部１４の、犬の足７０の中手部又は中足部７６の前側部分に装着される部位に限定されるものではなく、中手部又は中足部７６の側方部分や、中手部又は中足部７６の後側部分に装着される部位であってもよい。又、２本の連結部材３０の第１取付部３２は、袋状部１２の先側装着部位１２ａに対して取り付けられていれば、互いに離れている方向が、犬用靴１０の幅方向に限定されるものではなく、別の方向であってもよい。第２取付部３４同士が接続部材４０を介して接続される場合の、第２取付部３４同士が離間する方向も、これと同様である。
【００４９】
次に、図８には、引っ張り具５０の変形例を示している。図８（ａ）の例は、２本の連結部材３０Ａ、３０Ｂの第２取付部３４同士が直接的に接続されており、その接続された部分の尖った頂点に引っ張り具５０が取り付けられている。又、この引っ張り具５０は、人の指を通して引っ張るための、リング状の円環部５０ｂを備えている。一方、図８（ｂ）の例は、２本の連結部材３０Ａ、３０Ｂの第２取付部３４同士が、接続部材４０を介して間接的に接続されており、接続部材４０の長手方向中央部分に引っ張り具５０が取り付けられている。更に、この引っ張り具５０は、人の指により把持されるようなリボン状を成している。他方、上述した図７（ｂ）の例では、先端が僅かに二股に裂けた棒状を成す引っ張り具５０が、面ファスナー８８を介して着脱可能に、接続部材４０及び巻き付け部４８の双方に対して取り付けられている。このように、引っ張り具５０は、その形状や構成が任意であり、２本の連結部材３０Ａ、３０Ｂの第２取付部３４同士が接続された部分の近傍であれば、取り付け先の部材や位置も任意である。更に、引っ張り具５０と取り付け先の部材との間の取り付け方法は、引っ張り具５０や取り付け先の部材を形成する材料に応じた適切な方法を採用できる。
【００５０】
続いて、図９及び図１０には、犬用靴１０のつま先側を図中上側とした概略的な平面図により、連結部材３０の長さを調整するための調整機構６０の様々な例を示している。図９には、２本の連結部材３０Ａ、３０ＢがＶ字状を成すものを示し、図１０には、２本の連結部材３０Ａ、３０Ｂが平行ないし略平行に延在するものを示している。まず、図９（ａ）の例は、図１の例と同様に、袋状部１２の先側装着部位１２ａに２つの折り返し部材６２が固定されており、これらの折り返し部材６２を通して折り返される連結部材３０Ａ、３０Ｂの位置が調整されることで、連結部材３０Ａ、３０Ｂの長さが調整されるものである。連結部材３０Ａ、３０Ｂの第２取付部３４は直接的に接続されており、その接続された部分に第１部材４２が取り付けられている。
【００５１】
図９（ｂ）の例は、連結部材３０Ａ、３０Ｂの第１取付部３２の各々が、袋状部１２の先側装着部位１２ａに対して、縫製等により固定されている。帯状の連結部材３０Ａ、３０Ｂの各々には、第１取付部３２側において露出している面の中間部に、面ファスナー６６のフック部６６ａが設けられていると共に、それと同様の面の、少なくとも、フック部６６ａが設けられた位置よりも端部３３側の略全領域に、面ファスナー６６のループ部６６ｂが設けられている。そして、接続部材４０に固定された２つの折り返し部材６２に、連結部材３０Ａ、３０Ｂの端部３３側が通されて折り返された後、面ファスナー６６のフック部６６ａとループ部６６ｂとが接合されている。すなわち、２本の連結部材３０Ａ、３０Ｂは、第２取付部３４同士が接続部材４０を介して間接的に接続されていると共に、接続部材４０に固定された折り返し部材６２を介して折り返される位置が調整されることで、長さが調整されるようになっている。なお、図７（ｃ）に示した２本の連結部材３０Ａ、３０Ｂの構成は、図９（ｂ）の例と同様になっている。又、袋状部１２の先側装着部位１２ａに対する、連結部材３０Ａ、３０Ｂの第１取付部３２の固定方法は、縫製に限定されることなく、接着や別の方法であってもよい。
【００５２】
図１０（ａ）の例は、２本の連結部材３０Ａ、３０Ｂの第２取付部３４同士が、図中左右方向に延在する接続部材４０を介して間接的に接続されて、連結部材３０Ａ、３０Ｂが略平行に延在している点を除き、図９（ａ）の例と同様の構成のものである。図１０（ｂ）の例は、２つの折り返し部材６２が、図中左右方向に延在する接続部材４０の両端近傍に固定され、連結部材３０Ａ、３０Ｂが略平行に延在している点を除き、図９（ｂ）の例と同様の構成のものである。
【００５３】
図１０（ｃ）の例は、２本の連結部材３０Ａ、３０Ｂの各々が、第１連結部材８０と第２連結部材８２とで構成されている。第１連結部材８０の各々は、連結部材３０の第１取付部３２に相当する一端側が、袋状部１２の先側装着部位１２ａへ固定されると共に、他端側が、折り返し部材６２に図中下方へ向けて通されて図中上方へ向けて折り返された後、第１連結部材８０の一方の面に設けられた面ファスナー６６のフック部６６ａ及びループ部６６ｂにより接合されている。第２連結部材８２の各々は、連結部材３０の第２取付部３４に相当する一端側が、接続部材４０を介して間接的に接続されると共に、他端側が、図中下方から折り返し部材６２に対して固定されている。すなわち、図１０（ｃ）の例では、連結部材３０Ａ、３０Ｂを構成する第１連結部材８０の各々の、折り返し部材６２を介して折り返される位置が調整されて、各第１連結部材８０の長さが調整されることで、連結部材３０Ａ、３０Ｂの長さが調整されるようになっている。なお、第１連結部材８０と共に連結部材３０Ａ、３０Ｂを構成する第２連結部材８２の長さは、その弾性力により伸縮する範囲を除いて固定である。
【００５４】
図１０（ｄ）の例は、図１０（ｃ）の例と同様に、２本の連結部材３０Ａ、３０Ｂの各々が、第１連結部材８０と第２連結部材８２とで構成されている。第１連結部材８０の各々は、連結部材３０の第１取付部３２に相当する一端側が、袋状部１２の先側装着部位１２ａへ固定されると共に、他端側が、図中上方から折り返し部材６２に対して固定されている。第２連結部材８２の各々は、連結部材３０の第２取付部３４に相当する一端側が、接続部材４０を介して間接的に接続されると共に、他端側が、折り返し部材６２に図中上方へ向けて通されて図中下方へ向けて折り返された後、第２連結部材８２の一方の面に設けられた面ファスナー６６のフック部６６ａ及びループ部６６ｂにより接合されている。すなわち、図１０（ｄ）の例では、連結部材３０Ａ、３０Ｂを構成する第２連結部材８２の各々の、折り返し部材６２を介して折り返される位置が調整されて、各第２連結部材８２の長さが調整されることで、連結部材３０Ａ、３０Ｂの長さが調整されるようになっている。なお、第２連結部材８２と共に連結部材３０Ａ、３０Ｂを構成する第１連結部材８０の長さは、その弾性力により伸縮する範囲を除いて固定である。
【００５５】
上記の図１０（ｃ）、（ｄ）の例のように、連結部材３０Ａ、３０Ｂの各々が第１連結部材８０と第２連結部材８２とで構成され、第１連結部材８０と第２連結部材８２との間に折り返し部材６２が用いられる構成は、図９に示したような、２本の連結部材３０Ａ、３０ＢがＶ字状を成す形態にも適用できる。なお、図１、図９及び図１０の例では、何れも、折り返し部材６２を通して折り返された後の連結部材３０が、面ファスナー６６により結合されることで、連結部材３０の長さが定められているが、折り返し部材６２を通った後の連結部材３０を結合する方法は、面ファスナー６６に限定されずに別の方法であってもよい。
【００５６】
ここで、上述した各例において利用されている折り返し部材６２は、図１１（ａ）に示すように、１つの環状部分６２ａを有し、平面視矩形を成していることで、実質的に２本の棒状部６３ａ、６３ｂを有している。一方の棒状部６３ａは、図１２（ａ）に示すように、環状部分６２ａに通された連結部材３０を折り返すために使用され、他方の棒状部６３ｂは、折り返し部材６２の固定等のために使用される。しかしながら、折り返し部材６２の構成はこれに限定されず、例えば、図１１（ｂ）に示すような構成であってもよい。図１１（ｂ）に示す折り返し部材６２´は、２つの環状部分６２ａ、６２ｂを有し、平面視矩形を成していることで、実質的に３本の棒状部６３ａ、６３ｂ、６３ｃを有している。
【００５７】
この折り返し部材６２´は、図１２（ｂ）に示すように、環状部分６２ｂに通された連結部材３０を折り返すために、１本の棒状部６３ｂが使用され、更に、折り返された後の連結部材３０が環状部分６２ａに通されて、連結部材３０の折り返される前の部位と折り返された後の部位とを密着させるために、１本の棒状部６３ａが使用される。残り１本の棒状部６３ｃは、折り返し部材６２の固定等のために使用される。又、折り返し部材６２は、３つ以上の環状部分を有するものであってもよい。なお、折り返し部材６２を形成する材料は、金属に限定されるものではなく、連結部材３０の引張力等に十分耐え得るものであれば、樹脂等の別の材料で形成されていてもよい。
【００５８】
又、図１、図９及び図１０に示されている調整機構６０は、何れも２つの折り返し部材６２を含むものであるが、連結部材３０Ａ、３０Ｂの長さが調整できるものであれば、調整機構６０の構成はこれに限定されるものではない。例えば、上述した図７（ｂ）の例は、連結部材３０Ａ、３０Ｂの各々が第１連結部材８０と第２連結部材８２とで構成され、第１連結部材８０と第２連結部材８２との間が面ファスナー６６により結合されると共に、第２連結部材８２と接続部材４０との間が面ファスナー８６により結合されている。すなわち、図７（ｂ）の例では、面ファスナー６６を介して第１連結部材８０と第２連結部材８２とを結合する位置が調整されることで、連結部材３０Ａ、３０Ｂの長さが調整されるようになっており、又、接続部材４０に対して第２連結部材８２が着脱可能に取り付けられている。更に、調整機構６０は、その構成が２本の連結部材３０Ａ、３０Ｂの間で互いに異なっていてもよい。
【００５９】
さて、上記構成をなす本発明の実施の形態によれば、次のような作用効果を得ることが可能である。すなわち、本発明の実施の形態に係る犬用靴１０は、図１及び図２に示されているように、袋状部１２、筒状部１４、及び、２本の連結部材３０（３０Ａ、３０Ｂ）を含むものであり、靴１０の本体部分は、袋状部１２と筒状部１４とで構成される。袋状部１２は、犬の足７０のつま先７２から、前足の場合は指節部７４まで、後足の場合は趾節部７４までを覆う部材であり、筒状部１４は、袋状部１２から連続して形成され、少なくとも犬の足７０の、前足の場合は中手部７６の一部まで、後足の場合は中足部７６の一部までを覆う部材である。２本の連結部材３０Ａ、３０Ｂの各々は、弾性を有しており、袋状部１２の、犬の足７０のつま先７２近傍に装着される先側装着部位１２ａと、筒状部１４の、犬の足７０の中手部７６（前足の場合）或いは中足部７６（後足の場合）の前側部分に装着される上側装着部位１４ａとを連結して、接近させるように付勢するものである。
【００６０】
又、２本の連結部材３０Ａ、３０Ｂは、袋状部１２の先側装着部位１２ａへ取り付けられる第１取付部３２が、犬用靴１０の幅方向に互いに離れて取り付けられる。すなわち、２本の連結部材３０Ａ、３０Ｂのうち、一方の連結部材３０Ａの第１取付部３２と、他方の連結部材３０Ｂの第１取付部３２とが、袋状部１２の、犬の足７０のつま先７２近傍に装着される先側装着部位１２ａの、犬用靴１０の幅方向に互いに離れた位置に取り付けられる（図９及び図１０参照）。更に、２本の連結部材３０Ａ、３０Ｂは、筒状部１４の上側装着部位１４ａへ取り付けられる第２取付部３４が、直接的に或いは接続部材４０を介して間接的に互いに接続された状態で、着脱可能に上側装着部位１４ａに対して取り付けられる。すなわち、２本の連結部材３０Ａ、３０Ｂのうち、一方の連結部材３０Ａの第２取付部３４と、他方の連結部材３０Ｂの第２取付部３４とが、そのまま直接的に（図３〜図５参照）、或いは、接続部材４０を介して間接的に（図６及び図７参照）、互いに接続されている。加えて、このように接続された状態の、２本の連結部材３０Ａ、３０Ｂの２つの第２取付部３４が、筒状部１４の、犬の足７０の中手部又は中足部７６の前側部分に装着される上側装着部位１４ａに対して、着脱可能に取り付けられるものである。
【００６１】
上記のような構成を有する本発明の実施の形態に係る犬用靴１０は、犬の足７０へ装着される際、第１取付部３２が先側装着部位１２ａへ取り付けられた状態の、２本の連結部材３０Ａ、３０Ｂの第２取付部側３４が、人の手により引っ張られることで、２本の連結部材３０Ａ、３０Ｂによる引っ張り力が調整された後、上側装着部位１４ａに対して取り付けられる。この際、２本の連結部材３０Ａ、３０Ｂの第２取付部３４は、直接的或いは間接的に接続されていることから、人の手によって同時にバランス良く引っ張ることができる。これにより、２本の連結部材３０Ａ、３０Ｂによるつま先側の引っ張り力を、容易にバランス良く調整することができる。しかも、図１３（ａ）に示すように、２本の連結部材３０Ａ、３０Ｂの第１取付部３２が、犬用靴１０の幅方向の中心を挟んで互いに離れて取り付けられているため、図中白抜き矢印で図示するように犬用靴１０内に収まる犬の足７０のつま先７２側を、離間した２つの第１取付部３２を介して、図中黒矢印で図示するように安定して引っ張ることが可能となる。
【００６２】
従って、本発明の実施の形態に係る犬用靴１０を装着した犬は、２本の連結部材３０Ａ、３０Ｂによる上記のような引っ張り力に逆らって、つま先７２を下側や後側に向けることが抑制されるため、ナックリングを効果的に予防及び抑制することができる。又、２本の連結部材３０Ａ、３０Ｂが弾性を有することで、犬の足７０のつま先７２と中手部又は中足部７６の前側部分とが接近するように付勢しながらも、犬の足７０のつま先７２と中手部又は中足部７６の前側部分とが離間する方向への、連結部材３０の弾性力に応じた引張を許容することができる。これにより、歩行中の犬の足７０の動きへ追従する際の変形を、連結部材３０が伸縮する範囲で許容することができるため、歩行中の犬にストレスを感じさせることなく、犬の足７０のナックリングを予防及び抑制することが可能となる。更に、犬用靴１０を脱がせる際には、２本の連結部材３０Ａ、３０Ｂの第２取付部３４が、人の手によって筒状部１４の上側装着部位１４ａから取り外されることにより、脱がせる作業を円滑に行うことができる。
【００６３】
又、本発明の実施の形態に係る犬用靴１０は、図１、図３〜図５、図９（ａ）に示すように、２本の連結部材３０Ａ、３０ＢがＶ字状を成す態様で、２本の連結部材３０Ａ、３０Ｂの第２取付部３４同士が直接的に接続されているものである。すなわち、犬用靴１０の幅方向に離れて取り付けられる第１取付部３２がＶ字状の二股側を成し、直接的に接続される第２取付部３４がＶ字状の尖った先端側を成すものである。このような構成により、２本の連結部材３０Ａ、３０Ｂによる引っ張り力を調整する際の、人の手による引っ張り方向が１方向に合成されるため、引っ張り力の調整をより容易にすることができる。
【００６４】
一方、本発明の実施の形態に係る犬用靴１０は、図６、図７（ａ）、（ｂ）、図１０に示すように、２本の連結部材３０Ａ、３０Ｂが平行ないし略平行に延在するように、２本の連結部材３０Ａ、３０Ｂの第２取付部３４同士が、接続部材４０を介して間接的に接続されていてもよい。すなわち、２本の連結部材３０Ａ、３０Ｂの第２取付部３４が、犬用靴１０の幅方向に離れた状態で、接続部材４０を介して間接的に接続されており、第１取付部３２同士の間の距離と第２取付部３４同士の間の距離とが、略等しくなっている。このような構成により、引っ張り力の調整時に２本の連結部材３０Ａ、３０Ｂを同時に引っ張りながらも、２本の連結部材３０Ａ、３０Ｂ間のバランスの微調整、換言すれば、各連結部材３０Ａ、３０Ｂの個別の引っ張り力の微調整を行うことが可能となる。
【００６５】
更に、本発明の実施の形態に係る犬用靴１０は、図１〜図１０に示すように、２本の連結部材３０Ａ、３０Ｂの第２取付部３４の、筒状部１４の上側装着部位１４ａに対する着脱可能な取り付けが、面ファスナー３８によって実現されるものである。これにより、例えば、面ファスナー３８のフック部３８ａを、連結部材３０の第２取付部３４に必要十分な大きさで設け、面ファスナー３８のループ部３８ｂを、筒状部１４の上側装着部位１４ａを含む広めの範囲に設ける、といった工夫をすることができる。この場合は、図１３（ｂ）に示すように、２本の連結部材３０Ａ、３０Ｂの第２取付部３４の、上側装着部位１４ａに対する取り付け位置や取り付け角度等の自由度が上がるため、内側寄りや外側寄りといった犬毎に異なるナックリングの癖に合わせて、２本の連結部材３０Ａ、３０Ｂの各々による引っ張り力の、大きさや方向の微調整を容易に行うことが可能となる。
【００６６】
又、本発明の実施の形態に係る犬用靴１０は、図１、図４（ａ）、（ｃ）、図５（ａ）、（ｂ）、図６（ｂ）、図７に示すように、２本の連結部材３０Ａ、３０Ｂの第２取付部３４同士が接続された部分に、ベルト状の巻き付け部４８が設けられてもよく、この巻き付け部４８は、犬用靴１０の着用時に犬の足７０に巻き付けられて使用される。すなわち、直接的或いは間接的に接続された状態の、２本の連結部材３０Ａ、３０Ｂの第２取付部３４が、上側装着部位１４ａに対して取り付けられる際に、それらの接続部分に設けられた巻き付け部４８が、上側装着部位１４を挟み込んで犬の足７０に巻き付けられ、巻き付け部４８の両端が例えば面ファスナー等で固定されるものである。これにより、２本の連結部材３０Ａ、３０Ｂの第２取付部３４を、上側装着部位１４ａに対してより強固に取り付けることができる。
【００６７】
又、本発明の実施の形態に係る犬用靴１０は、図１、図７、図８に示すように、２本の連結部材３０Ａ、３０Ｂの第２取付部３４同士が接続された部分の近傍に、人の指により引っ張るための引っ張り具５０を具備するものである。これにより、２本の連結部材３０Ａ、３０Ｂによる引っ張り力の調整時に、人の指によって引っ張り具５０を介して２本の連結部材３０Ａ、３０Ｂを引っ張ることで、引っ張り力の調整をより容易に行うことができる。
【００６８】
更に、本発明の実施の形態に係る犬用靴１０は、図１、図２（ｂ）、図７（ｂ）、図９、図１０に示すように、２本の連結部材３０Ａ、３０Ｂの各々の、第１取付部３２から第２取付部３４までの長さが、調整機構６０により調整されることで、犬の足７０の大きさや、犬の足７０のつま先７２と中手部又は中足部７６の前側部分との間に作用させる所望の付勢力に合わせた、適切な長さに、連結部材３０Ａ、３０Ｂの長さを調整することができる。これと併せて、第２取付部３４の取り付け位置の調整による、連結部材３０Ａ、３０Ｂの引っ張り力の調整を行うことにより、犬の足７０の大きさ等に応じた適切な付勢力で付勢しながら、犬の足７０のナックリングを予防及び抑制することが可能となる。なお、調整機構６０による連結部材３０Ａ、３０Ｂの長さ調整は、犬の足７０の大きさに合わせて一度行ってしまえば、次からは第２取付部３４の取り付け位置の調整のみで、付勢力の調整を行えばよい。
【００６９】
しかも、本発明の実施の形態に係る犬用靴１０は、図１、図２（ｂ）、図９、図１０に示すように、２本の連結部材３０Ａ、３０Ｂの各々が帯状を成しており、これら帯状の連結部材３０Ａ、３０Ｂの長さを調整する調整機構６０が、連結部材３０Ａ、３０Ｂが通されて折り返される環状部分６２ａを有する折り返し部材６２を、連結部材３０Ａ、３０Ｂ毎に（すなわち２つ）含むものである。そして、調整機構６０は、折り返し部材６２を介して折り返される連結部材３０Ａ、３０Ｂの位置が調整されることで、各連結部材３０Ａ、３０Ｂの第１取付部３２から第２取付部３４までの長さを調整するものである。
【００７０】
このとき、連結部材３０Ａ、３０Ｂの各々は、第１取付部３２側（先側装着部位１２ａ側）に設置された折り返し部材６２により折り返されてもよく（図１、図２（ｂ）、図９（ａ）、図１０（ａ）参照）、第２取付部３４側（上側装着部位１４ａ側）に設置された折り返し部材６２により折り返されてもよい（図９（ｂ）、図１０（ｂ）参照）。或いは、第１取付部３２と第２取付部３４との間に設置された折り返し部材６２により折り返されてもよく、この場合は、連結部材３０Ａ、３０Ｂの各々が、第１取付部３２側の第１連結部材８０と、第２取付部３４側の第２連結部材８２との２つの部材により構成される（図１０（ｃ）、（ｄ）参照）。このように、本発明の実施の形態に係る犬用靴１０は、折り返し部材６２を利用して連結部材３０Ａ、３０Ｂの長さ調整を効率よく実現しながら、犬の足７０のナックリングを予防及び抑制することができる。
【００７１】
又、本発明の実施の形態に係る犬用靴１０は、図１、図２（ｂ）、図９（ａ）、図１０（ａ）に示すように、調整機構６０の２つの折り返し部材６２が、犬用靴７０の幅方向に互いに離間した状態で、袋状部１２の先側装着部位１２ａに固定されており、この折り返し部材６２の各々を介して、各連結部材３０Ａ、３０Ｂの第１取付部３２が、先側装着部位１２ａに取り付けられるものである。すなわち、連結部材３０Ａ、３０Ｂの各々は、その第１取付部３２側の端部３１が、先側装着部位１２ａに固定された折り返し部材６２の環状部分６２ａに前方へ向かって通された後、後方へ向かって折り返され、連結部材３０Ａ、３０Ｂの長さが調整された後、例えば面ファスナー６６等の取付手段を介して固定される。このような構成により、連結手段３０Ａ、３０Ｂの各々は、第１取付部３２が、取付手段が解除されて折り返し部材６２から引き抜かれることで、取り付け状態から解放され、更に、第２取付部３４が、上側装着部位１４ａに対して着脱可能に取り付けられていることから、その全体が取り外し可能なものとなる。従って、２本の連結部材３０Ａ、３０Ｂが必要に応じて犬用靴１０の本体部分に対して着脱されることで、ナックリング対策が施された犬用靴１０と通常の犬用靴１０との双方に対応することができ、又、犬の足７０へ履かせる作業や脱がせる作業を容易にすることができる。
【符号の説明】
【００７２】
１０：犬用靴、１２：袋状部、１２ａ：先側装着部位、１４：筒状部、１４ａ：上側装着部位、３０（３０Ａ、３０Ｂ）：連結部材、３２：第１取付部、３４：第２取付部、４０：接続部材、５０：引っ張り具、６０：調整機構、６２、６２´：折り返し部材、６２ａ、６２ｂ：環状部分、７０：犬の足、７２：つま先、７４：指節部又は趾節部、７６：中手部又は中足部
【図１】
2020137437.tif 000003
【図２】
2020137437.tif 000004
【図３】
2020137437.tif 000005
【図４】
2020137437.tif 000006
【図５】
2020137437.tif 000007
【図６】
2020137437.tif 000008
【図７】
2020137437.tif 000009
【図８】
2020137437.tif 000010
【図９】
2020137437.tif 000011
【図１０】
2020137437.tif 000012
【図１１】
2020137437.tif 000013
【図１２】
2020137437.tif 000014
【図１３】
2020137437.tif 000015
【手続補正書】
【提出日】令和1年8月5日(2019.8.5)
【手続補正１】
【補正対象書類名】特許請求の範囲
【補正対象項目名】全文
【補正方法】変更
【補正の内容】
【特許請求の範囲】
【請求項１】
犬の足のつま先から指節部又は趾節部までを覆う袋状部と、該袋状部から連続して少なくとも犬の足の中手部又は中足部の一部までを覆う筒状部と、を備える犬用靴であって、
前記袋状部の、犬の足のつま先近傍に装着される先側装着部位と、前記筒状部の、犬の足の中手部又は中足部に装着される上側装着部位とを連結して、前記先側装着部位と前記上側装着部位とを接近させるように付勢する、弾性を備えた２本の連結部材を含み、
該２本の連結部材は、前記先側装着部位へ取り付けられる第１取付部が、互いに離れて取り付けられると共に、前記上側装着部位へ取り付けられる第２取付部が、直接的に或いは接続部材を介して間接的に互いに接続された状態で、着脱可能に前記上側装着部位に対して取り付けられ、
前記２本の連結部材の前記第２取付部同士が接続された部分の近傍に、人の指により引っ張るための引っ張り具を有することを特徴とする犬用靴。
【請求項２】
前記上側装着部位が、前記筒状部の、犬の足の中手部又は中足部の前側部分に装着される部位であることを特徴とする請求項１記載の犬用靴。
【請求項３】
前記２本の連結部材の前記第１取付部が、犬用靴の幅方向に互いに離れて取り付けられることを特徴とする請求項１又は２記載の犬用靴。
【請求項４】
前記２本の連結部材の前記第２取付部同士が、前記２本の連結部材がＶ字状を成す態様で直接的に接続されていることを特徴とする請求項１から３のいずれか１項記載の犬用靴。
【請求項５】
前記２本の連結部材の前記第２取付部同士が、前記２本の連結部材が平行ないし略平行に延在するように、前記接続部材を介して間接的に接続されていることを特徴とする請求項１から３のいずれか１項記載の犬用靴。
【請求項６】
前記２本の連結部材の各々の、前記第１取付部から前記第２取付部までの長さを調整するための調整機構を含むことを特徴とする請求項１から５のいずれか１項記載の犬用靴。
【請求項７】
前記２本の連結部材の各々が帯状を成し、
前記調整機構は、前記連結部材が通されて折り返される環状部分を有する２つの折り返し部材を含み、該２つの折り返し部材の各々を介して折り返される前記連結部材の位置が調整されることで、前記連結部材の各々の長さを調整するものであることを特徴とする請求項６記載の犬用靴。
【手続補正２】
【補正対象書類名】明細書
【補正対象項目名】０００６
【補正方法】変更
【補正の内容】
【０００６】
（１）犬の足のつま先から指節部又は趾節部までを覆う袋状部と、該袋状部から連続して少なくとも犬の足の中手部又は中足部の一部までを覆う筒状部と、を備える犬用靴であって、前記袋状部の、犬の足のつま先近傍に装着される先側装着部位と、前記筒状部の、犬の足の中手部又は中足部に装着される上側装着部位とを連結して、前記先側装着部位と前記上側装着部位とを接近させるように付勢する、弾性を備えた２本の連結部材を含み、該２本の連結部材は、前記先側装着部位へ取り付けられる第１取付部が、互いに離れて取り付けられると共に、前記上側装着部位へ取り付けられる第２取付部が、直接的に或いは接続部材を介して間接的に互いに接続された状態で、着脱可能に前記上側装着部位に対して取り付けられ、前記２本の連結部材の前記第２取付部同士が接続された部分の近傍に、人の指により引っ張るための引っ張り具を有する犬用靴（請求項１）。
【手続補正３】
【補正対象書類名】明細書
【補正対象項目名】００１０
【補正方法】変更
【補正の内容】
【００１０】
従って、本項に記載の犬用靴を装着した犬は、２本の連結部材による上記のような引っ張り力に逆らって、つま先を下側や後側に向けることが抑制されるため、ナックリングが効果的に予防及び抑制されることとなる。又、２本の連結部材が弾性を有することで、犬の足のつま先と中手部又は中足部とが接近するように付勢しながらも、犬の足のつま先と中手部又は中足部とが離間する方向への、連結部材の弾性力に応じた引張が許容される。これにより、歩行中の犬の足の動きへ追従する際の変形が、連結部材が伸縮する範囲で許容されるため、歩行中の犬にストレスを感じさせることなく、犬の足のナックリングが予防及び抑制されるものとなる。更に、犬用靴を脱がせる際には、２本の連結部材の第２取付部が、人の手によって筒状部の上側装着部位から取り外されることにより、脱がせる作業が円滑に行われることとなる。
更に、本項に記載の犬用靴は、２本の連結部材の第２取付部同士が接続された部分の近傍に、人の指により引っ張るための引っ張り具を具備するものである。これにより、２本の連結部材による引っ張り力の調整時に、人の指によって引っ張り具を介して２本の連結部材が引っ張られることで、引っ張り力の調整がより容易に行われるものである。なお、このような引っ張り具が取り付けられる、第２取付部同士が接続された部分の近傍とは、第２取付部同士が直接的に接続されている場合は、その接続部分の近傍であり、第２取付部同士が接続部材を介して間接的に接続されている場合は、その接続部材の何れかの部位であってよい。更に、これらの部位に、別の部材を介して引っ張り具が取り付けられてもよく、後述する（７）項に記載したような巻き付け部が設けられる場合は、この巻き付け部に引っ張り具が取り付けられてもよい。
【手続補正４】
【補正対象書類名】明細書
【補正対象項目名】００１７
【補正方法】変更
【補正の内容】
【００１７】
（８）上記（１）から（７）項において、前記２本の連結部材の各々の、前記第１取付部から前記第２取付部までの長さを調整するための調整機構を含む犬用靴（請求項６）。
【手続補正５】
【補正対象書類名】明細書
【補正対象項目名】００１８
【補正方法】変更
【補正の内容】
【００１８】
本項に記載の犬用靴は、２本の連結部材の各々の、第１取付部から第２取付部までの長さが、調整機構により調整されることで、犬の足の大きさや、犬の足のつま先と中手部又は中足部との間に作用させる所望の付勢力に合わせた、適切な長さに、連結部材の長さが調整されるものである。これと併せて、連結部材の引っ張り力の調整が行われることにより、犬の足の大きさ等に応じた適切な付勢力で付勢しながら、犬の足のナックリングを予防及び抑制するものとなる。
【手続補正６】
【補正対象書類名】明細書
【補正対象項目名】００１９
【補正方法】変更
【補正の内容】
【００１９】
（９）上記（８）項において、前記２本の連結部材の各々が帯状を成し、前記調整機構は、前記連結部材が通されて折り返される環状部分を有する２つの折り返し部材を含み、該２つの折り返し部材の各々を介して折り返される前記連結部材の位置が調整されることで、前記連結部材の各々の長さを調整するものである犬用靴（請求項７）。
本項に記載の犬用靴は、２本の連結部材の各々が帯状を成しており、これら帯状の連結部材の長さを調整する調整機構が、連結部材が通されて折り返される環状部分を有する折り返し部材を、連結部材毎に（すなわち２つ）含むものである。そして、調整機構は、折り返し部材を介して折り返される連結部材の位置が調整されることで、各連結部材の第１取付部から第２取付部までの長さを調整するものである。
【手続補正７】
【補正対象書類名】明細書
【補正対象項目名】００２１
【補正方法】変更
【補正の内容】
【００２１】
（１０）上記（９）項において、前記２つの折り返し部材が、互いに離れて前記先側装着部位に対して固定され、前記２本の連結部材の前記第１取付部は、前記２つの折り返し部材を介して前記先側装着部位に取り付けられる犬用靴。
本項に記載の犬用靴は、調整機構の２つの折り返し部材が、互いに離間した状態で、袋状部の先側装着部位に対して固定されており、この折り返し部材の各々を介して、各連結部材の第１取付部が、先側装着部位に取り付けられるものである。すなわち、連結部材の各々は、その第１取付部側の端部が、先側装着部位に固定された折り返し部材の環状部分に前方へ向かって通された後、後方へ向かって折り返され、連結部材の長さが調整された後、例えば面ファスナー等の取付手段を介して固定される。このような構成により、連結手段の各々は、第１取付部が、取付手段が解除されて折り返し部材から引き抜かれることで、取り付け状態から解放され、更に、第２取付部が、上側装着部位に対して着脱可能に取り付けられていることから、その全体が取り外し可能なものとなる。従って、２本の連結部材が必要に応じて犬用靴の本体部分に対して着脱されることで、ナックリング対策が施された犬用靴と通常の犬用靴との双方に対応するものとなり、又、犬の足へ履かせる作業や脱がせる作業が容易になるものである。